(57)【特許請求の範囲】
【請求項１】
カラオケ情報を再生する再生手段と、マイクからの入力信号に前記再生手段により再生されたカラオケ曲の伴奏データを合成した音声信号を出力する出力手段と、この出力手段が出力する音声信号を他車に送信する送信手段と、他車からの少なくとも前記マイクからの入力信号を含む音声信号を受信する受信手段とを備え、前記出力手段は、出力中の音声信号に前記受信手段が受信した音声信号を合成して出力可能に構成されている車載用カラオケ装置において、
デュエットモードを選択可能な操作パネルと、
この操作パネルに対してデュエットモードが選択されたときは、他車のカラオケ装置に音声送信要求コマンドを送信し、当該音声送信要求コマンドの送信に応じて受信可能ステータスを受信したときは、通信開始ステータスを送信すると共に前記送信手段及び前記受信手段による通信動作に移行することによりデュエットによるカラオケを実行し、このデュエットによるカラオケが終了したときは、他車に対して通信終了ステータスを送信すると共に前記送信手段及び前記受信手段による通信動作を終了する制御手段を備えたことを特徴とする車載用カラオケ装置。
【請求項２】
車室内の様子を撮像する撮像手段と、
この撮像手段による映像データを他車に送信する映像送信手段と、
他車からの映像データを受信する映像受信手段と、
前記映像受信手段が受信した映像データを表示する表示手段とを備え、
前記再生手段は、再生するカラオケ情報に映像データが含まれる場合は、その映像データを前記表示手段に表示することを特徴とする請求項１記載の車載用カラオケ装置。
【請求項３】
前記再生手段は、映像データを背景画としてカラオケ情報を前記表示手段に表示する場合は、映像データを歌詞データの背景画として表示することを特徴とする請求項２記載の車載用カラオケ装置。
【発明の詳細な説明】
【０００１】
【発明の属する技術分野】
本発明は、他車との通信機能を備えた車載用カラオケ装置に関する。
【０００２】
【発明が解決しようとする課題】
従来の車載用カラオケ装置は、同乗した人だけで楽しむだけのものであった。このため、複数の車両に分乗した場合には、他車の人とはカラオケを楽しむことはできないという欠点があった。
【０００３】
本発明は上記事情に鑑みてなされたものであり、その目的は、他車の人とカラオケを一緒に楽しむことができる車載用カラオケ装置を提供することにある。
【０００４】
【課題を解決するための手段】
本発明は、カラオケ情報を再生する再生手段と、マイクからの入力信号に前記再生手段により再生されたカラオケ曲の伴奏データを合成した音声信号を出力する出力手段、この出力手段が出力する音声信号を他車に送信する送信手段と、他車からの少なくとも前記マイクからの入力信号を含む音声信号を受信する受信手段とを備え、前記出力手段は、出力中の音声信号に前記受信手段が受信した音声信号を合成して出力可能に構成されている車載用カラオケ装置において、デュエットモードを選択可能な操作パネルと、この操作パネルに対してデュエットモードが選択されたときは、他車のカラオケ装置に音声送信要求コマンドを送信し、当該音声送信要求コマンドの送信に応じて受信可能ステータスを受信したときは、通信開始ステータスを送信すると共に前記送信手段及び前記受信手段による通信動作に移行することによりデュエットによるカラオケを実行し、このデュエットによるカラオケが終了したときは、他車のカラオケ装置に対して通信終了ステータスを送信すると共に前記送信手段及び前記受信手段による通信動作を終了する制御手段を備えたものである（請求項１）。
【０００５】
このような構成によれば、再生手段によりカラオケ情報を再生すると、出力手段からは再生手段により再生されたカラオケ曲の伴奏が出力される。ここで、マイクに向かって歌うと、出力手段からは、マイクからの入力信号に再生手段により再生されたカラオケ曲の伴奏データを合成した音声信号が出力されるので、車両内でカラオケを楽しむことができる。
【０００６】
さて、他車の人とデュエットによるカラオケを楽しみたいときは、操作パネルに対してデュエットモードを選択する。すると、制御手段は、他車に対して音声送信要求コマンドを送信する。このとき、他車のカラオケ装置でデュエットによるカラオケが可能な場合は、音声送信要求コマンドに応じて受信可能ステータスが送信されるので、受信可能ステータスを受信したときは、通信開始ステータスを送信すると共に送信手段及び受信手段による通信動作に移行する。それに応じて、自車の送信手段は出力手段が出力する音声信号を送信するので、他車の出力手段は受信手段が受信した音声信号を出力する。これにより、他車の出力手段からは自車で再生されたカラオケ曲の伴奏と歌声が出力されるので、他車の人はそれに合わせて歌うと、他車の出力手段は受信手段が受信した音声信号にマイクからの入力信号を合成した音声信号を出力する。従って、両方の車両でデュエットによるカラオケを一緒に楽しむことができる。
【０００７】
このとき、他車の送信手段は出力手段に出力する音声信号を送信するので、自車の出力手段は出力中の音声信号に他車からの音声信号を合成して出力する。これにより、他車の人とデュエットによるカラオケを一緒に楽しむことができる。
また、デュエットによるカラオケが終了したときは、制御手段は、他車に対して通信終了ステータスを送信すると共に送信手段及び受信手段による通信動作を終了するので、他車のカラオケ装置もデュエットによるカラオケを終了することができる。
【０００８】
上記構成において、車室内の様子を撮像する撮像手段と、この撮像手段による映像データを他車に送信する映像送信手段と、他車からの映像データを受信する映像受信手段と、
前記映像受信手段が受信した映像データを表示する表示手段とを備え、前記再生手段は、再生するカラオケ情報に映像データが含まれる場合は、その映像データを前記表示手段に表示するようにしてもよい（請求項２）。
【０００９】
このように構成によれば、お互いの車室内の様子を表示手段で視認することができるので、連帯間を高めながらデュエットによるカラオケを楽しむことができる。
【００１０】
【００１１】
上記構成において、前記再生手段は、映像データを背景画としてカラオケ情報を前記表示手段に表示する場合は、映像データを歌詞データの背景画として表示するようにしてもよい（請求項３）。
【００１２】
このような構成によれば、表示手段に相手側の車両の様子が歌詞の背景として表示されるので、他車の人の様子を互いに見ながらデュエットによるカラオケを楽しむことができる。
【００１３】
【００１４】
【００１５】
【００１６】
【発明の実施の形態】
以下、本発明の一実施例を図面を参照して説明する。
図１は全体のシステムの構成を概略的に示している。この図１において、自車１には車載用カラオケ装置２（以下、自己機と称する）が搭載されており、その自己機２にＣＣＤカメラ３（本発明の撮像手段に相当）、ＴＶモニタ４（本発明の表示手段に相当）、マイク５、カーオーディオ装置６（本発明の出力手段に相当）等が接続されていると共に、他車７に搭載された車載用カラオケ装置８（以下、相手機と称する）と送受信アンテナ９を通じた無線通信により相互に送受信可能に構成されている。
【００１７】
ここで、ＣＣＤカメラ３は車室内の様子を撮像するようにセットされている。また、車載用カラオケ装置２にはデジタル式携帯電話機１０（本発明の映像送信手段、映像受信手段に相当）を接続可能となっている。
【００１８】
図２は自己機２の構成を示している。尚、相手機８は自己機２と同一構成であるので、その説明を省略する。
即ち、自己機２はＣＰＵ１１（本発明の出力手段、送信手段、受信手段、映像送信手段、映像受信手段に相当）を主体として構成されており、該ＣＰＵ１１は、曲の選択や相手機８の呼出し操作を行うための操作パネル１２、カラオケＣＤを再生するためのＣＤプレイヤ−１３（本発明の再生手段に相当）、ＣＣＤカメラ３からの映像デジタルデータの処理やＴＶモニタ４の制御を行う表示制御装置１４、ＣＣＤカメラ３からの映像データや相手機８から受信した映像データを一時的に記憶するための記憶装置１５、マイク５からの入力音声をＣＤプレイヤー１３で再生した伴奏に合成したり、またマイク５からの入力音声を相手機８からの受信音声に合成して、カーオーディオ装置６に出力するための音声合成装置１６（本発明の出力手段に相当）、デュエット等をする相手機８と交信するための通信装置１７（本発明の送信手段、受信手段に相当）と接続されている。
【００１９】
ここで、通信装置１７は、伴奏信号及び音声信号（アナログデータ）をＦＭ変調した信号のベースバンド信号に、歌詞データ（デジタルデータ）をＬ−ＭＳＫ変調して多重化した状態で送受信アンテナ９から送信する。尚、通信装置１７を、複数台の車両のカラオケ装置２から同一の曲を同期させながら再生するように構成した場合は、伴奏開始制御データを送信するようにしてもよい。
【００２０】
また、ＣＣＤカメラ３で撮像された映像データ（デジタルデータ）はデジタル式携帯電話機１０により送受信する。
【００２１】
図３及び図４は自己機２と相手機８との間で音声信号及び歌詞データを通信する際のフローチャートを示しており、送信側となる自己機２から受信側となる相手機８に音声信号及び歌詞データを送信すると共に、相手機８から自己機２に音声信号を送信する動作を示している。
【００２２】
ここで、自己機２は、操作パネル１２によりデュエットモードが選択されたときは送信動作を実行するようになっている。
即ち、図３は送信側となる自己機２の動作を示すフローチャートであり、この図３において、自己機２は、まず、相手機８を呼出すための音声送信要求コマンドを送信してから（Ａ１）、相手機８から受信可能の応答があるかを調べる（Ａ２）。
【００２３】
一方、図４は受信側となる相手機８の動作を示すフローチャートであり、この図４において、相手機８は、通常のカラオケ曲の再生を実行している場合であっても、受信動作を並列実行しており、他車７からの呼出し要求があるかを調べている（Ｂ１）。
【００２４】
そして、他車７から呼出し要求があると（Ｂ１：ＹＥＳ）、呼出し要求があったことを使用者に報知してから（Ｂ２）、受信可能であるかを調べ（Ｂ３）、受信可能、つまりカラオケ曲の再生をしていない状態であったときは受信可能ステータスを送信する（Ｂ４）。このとき、相手機８がカラオケ曲の再生中の場合は、相手機８の利用者が受信可能ステータスを送信するか否かを判断し、利用者による操作に応じて受信可能ステータスを送信する。
【００２５】
さて、自己機２においては、相手機８から受信可能ステータスを受信したときは（Ａ２：ＹＥＳ）、通信開始ステータスを送信すると共に（Ａ３）、通信動作に移行する（Ａ４）。
【００２６】
そして、ＣＤプレイヤー１３によりカラオケ曲の伴奏が再生されると、マイク５に向かってカラオケを歌う。すると、カラオケ曲の伴奏とマイク５からの入力信号とが音声合成装置１６により合成された音声信号がカーオーディオ装置６から出力されるので、カラオケを楽しむことができる。
【００２７】
一方、相手機８は、上述のようにして自己機２が受信可能ステータスを受信したときは、通信開始ステータスを受信するまで待機状態となり（Ｂ５）、通信開始ステータスを受信したときは、通信動作に移行する（Ｂ６）。
【００２８】
ここで、自己機２による通信動作においては、再生した伴奏音声信号にマイク５からの入力信号を合成した音声信号（アナログデータ）と歌詞データ（デジタルデータ）とを通信装置１７で変調して送信する。
【００２９】
また、相手機８による通信動作においては、マイク５からの入力信号に通信装置１７が受信して復調した音声信号を音声合成装置１６で合成してカーオーディオ装置６から出力すると共に、ＴＶモニタ４に歌詞データを表示する。このとき、カーオーディオ装置６に出力する音声信号にマイク５からの入力信号を合成して出力するので、他車７においてカラオケを楽しむことができる。
【００３０】
この場合、相手機８の通信動作において、カーオーディオ装置６に出力する音声信号を通信装置１７から出力すると共に、自己機２の通信動作において、通信装置１７が受信した音声信号を出力中の音声信号に合成してカーオーディオ装置６に出力するので、自車１のカーオーディオ装置６からは両方の車両に設けられたマイク５からのマイク入力音声信号が出力される。
尚、相手機８から自己機２を呼出す場合も同様の動作を実行する。
【００３１】
以上の動作により、２台の車両においては、両方のＴＶモニタ４に歌詞データが表示されると共に、カーオーディオ装置６からは自車１のマイク５からのマイク入力信号に加えて他車７のマイク５からの入力信号が合成されて出力されるので、別の車両に乗車しながらカラオケを一緒に楽しむことができる。
【００３２】
そして、自己機２は、カラオケ曲の再生が終了したときは（Ａ５：ＹＥＳ）、通信終了ステータスを送信する（Ａ６）。
すると、相手機８は、通信終了ステータスを受信したところで（Ｂ７：ＹＥＳ）、通信動作を終了する。
【００３３】
ところで、上述のようにしてお互いの車両の人とカラオケを楽しむことができるものの、お互いの車室内の様子を視認しながらの方がカラオケを一層楽しむことができる。
【００３４】
そこで、本実施例では、お互いの車室内の様子を視認しながらカラオケを一緒に楽しむことができるようにした。
即ち、図５は自車１のＣＣＤカメラ３で取込んだ車室内の映像データを相手機８に送信するときの自己機２の動作を示すフローチャートであり、この図５において、自己機２は、記憶装置１５に映像データが記憶されているかを調べる（Ｃ１）。このとき、ＣＣＤカメラ３が駆動された状態では、ＣＣＤカメラ３による映像データが記憶装置１５に記憶されているので、映像データがあると判断し  （Ｃ１：ＹＥＳ）、相手機８を呼出すための映像送信要求コマンドを送信する  （Ｃ２）。
【００３５】
一方、図６は相手機８の動作を示すフローチャートであり、この図６において、相手機８は、まず、映像送信要求コマンドを受信したかを調べ（Ｄ１）、受信したときは、受信可能であるかを調べる（Ｄ２）。そして、受信可能であれば（し２：ＹＥＳ）、受信可能ステータスを送信してから（Ｄ３）、映像データの受信動作に移行する（Ｄ４）。
【００３６】
ここで、自己機２は、受信可能ステータスを受信したときは（Ｃ３：ＹＥＳ）、映像データを送信する（Ｃ４）。
これにより、相手機８は、映像データを受信し、歌詞の背景として合成した映像データをＴＶモニタ４に表示する（Ｄ５）。
【００３７】
この場合、相手機８は、他車７の車室内の様子を撮影するＣＣＤカメラ３からの映像データをデジタル式携帯電話機１０を通じて自車１に送信し、自車１の自己機２は、他車から送信された映像データをデジタル式携帯電話機１０を通じて受信して歌詞の背景として合成した映像データをＴＶモニタ４に表示する。
【００３８】
以上の動作により、ＴＶモニタ４に相手側の車両の様子が歌詞のバックグランドとして表示されるので、他車の人の様子を互いに見ながらカラオケを一層楽しむことができる。
【００３９】
上記構成のものによれば、自己機２においてカラオケ曲を再生するときに相手機８にカラオケ曲の伴奏に加えてマイク５からの音声信号を送信すると共に、相手機８からも自己機２にマイク５からの音声入力信号を送信するようにしたので、他車に乗車した人とカラオケを一緒に楽しむことができる、従って、自車だけでカラオケを楽しむだけの構成に比較して、他車の人と連帯感を高めながらカラオケを楽しむことができる。
【００４０】
また、自車１から歌詞データも送信して他車７のＴＶモニタ４に歌詞データのバックグランドとして表示するようにしたので、お互いの車でカラオケを一層楽しむことができる。
【００４１】
さらに、お互いの車室内の様子をＴＶモニタ４で視認することができるので、連帯感を高めながらカラオケをさらに一緒に楽しむことができる。
【００４２】
本発明は上記実施例にのみ限定されるものでなく、次のように変形または拡張することができる。
デジタル式携帯電話機１０による多重通信により、ＣＣＤカメラ３による映像データに加えて、カラオケ曲及び音声信号をデジタルで送信するようにしてもよい。
【００４３】
ＣＣＤカメラ３による映像データのみを送信することにより、相手側の車両の様子のみをＴＶモニタ４に表示するようにしてもよい。
通信衛星を使用した公衆電話回線を利用して、相手側の車両とカラオケを楽しむようにしてもよい。
【００４４】
【発明の効果】
以上の説明によって明らかなように、請求項１記載の車載用カラオケ装置によれば、自車においてはマイクからの入力信号にカラオケ曲の伴奏データを合成した音声信号を出力する際にその音声信号を他車に送信すると共に、他車においては自車から送信された音声信号をマイクからの入力信号に合成して出力すると共にその音声信号を送信し、さらに自車においては出力する音声信号に他車から送信された音声信号を合成して出力するようにしたので、他車に乗車した人とカラオケを一緒に楽しむことができる。
【００４５】
請求項２記載の車載用カラオケ装置によれば、お互いの車室内の様子を表示手段で視認することができるので、連帯間を高めながらデュエットによるカラオケを楽しむことができる。
【００４６】
請求項３記載の車載用カラオケ装置によれば、表示手段に相手側の車両の様子が歌詞の背景として表示されるので、他車の人の様子を互いに見ながらデュエットによるカラオケを楽しむことができる。
【００４７】
【００４８】
【図面の簡単な説明】
【図１】  本発明の一実施例における全体構成を示す概略図
【図２】  制御装置の構成を示す概略図
【図３】  ＣＰＵの音声送信動作を示すフローチャート
【図４】  ＣＰＵの音声受信動作を示すフローチャート
【図５】  ＣＰＵの映像データ送信動作を示すフローチャート
【図６】  ＣＰＵの映像データ受信動作を示すフローチャート
【符号の説明】
１は自車、２，８は車載用カラオケ装置、３はＣＣＤカメラ（撮像手段）、４はＴＶモニタ（表示手段）、５はマイク、６はカーオーディオ装置（出力手段）、７は他車、１０はデジタル式携帯電話機（映像送信手段、映像受信手段）、１１はＣＰＵ（出力手段、送信手段、受信手段、映像送信手段、映像受信手段）、１３はＣＤプレイヤー（再生手段）、１６は音声合成装置（出力手段）、１７は通信装置（送信手段、受信手段）である。
【図１】
0003892090.tif 000002
【図２】
0003892090.tif 000003
【図３】
0003892090.tif 000004
【図４】
0003892090.tif 000005
【図５】
0003892090.tif 000006
【図６】
0003892090.tif 000007